(57)【要約】【課題】開閉扉の開動作に連動してローラ対の受側ローラの自由回転を可能にすることにより、ジャム処理を容易にする。【解決手段】用紙端を挟むローラ対４の受側ローラ４１にモータの回転を伝達する回転伝達路５を有する。回転伝達路５が伝達路断続機構６を備える。回転伝達路６が駆動歯車５２と従動歯車５３とを含む。伝達路断続機構６が、駆動歯車５２及び従動歯車５３の軸方向に揺動自在に懸吊されたレバー体６２と、開閉扉２の開動作に連動してレバー体６２を初期位置から動作位置に押付け揺動させるカム６３と、伝達路断続機構６を接続モードと切断モードとに切り換える連結軸６１とを備える。レバー体６２の懸吊箇所を通る揺動軸線を水平軸線Ｈ−Ｈに対し直交する。【選択図】　　　　図９
2004054169.tif 000002
【特許請求の範囲】
【請求項１】
用紙端を挟むローラ対を形成する受側及び押圧側の一対のローラのうちの受側ローラにモータの回転を伝達する回転伝達路に、筐体に水平軸線回りに開閉揺動可能に取り付けられた開閉扉の開動作に連動して接続モードから切断モードに切り換わることにより上記受側ローラの自由回転を可能にし、かつ、上記開閉扉の閉動作に連動して切断モードから接続モードに切り換わることにより上記受側ローラの自由回転を不能にする伝達路断続機構が備わり、上記回転伝達路が、モータ側の駆動歯車とこの駆動歯車と同軸に配備された従動歯車とを含んでいる印刷装置の用紙搬送機構において、
上記伝達路断続機構が、上記筐体に対する定位置で上記駆動歯車及び上記従動歯車の軸方向に揺動自在に懸吊されているレバー体と、上記開閉扉に設けられてこの開閉扉の開動作に連動して上記レバー体を初期位置から動作位置に押付け揺動させるカムと、上記駆動歯車と上記従動歯車との間に介在されて初期位置から往動位置に移動することによって当該伝達路断続機構を接続モードから切断モードに切り換え、かつ、往動位置から初期位置に復帰することによって当該伝達路断続機構を切断モードから接続モードに切り換えると共に、初期位置に向けて常時弾発付勢された連結軸とを備え、
上記レバー体の懸吊箇所を通る揺動軸線が上記水平軸線に対し直交する方向に延びていると共に、上記揺動軸線よりも上位に、上記カムに対する摺動部を備え、
上記連結軸が、鍔部を挟む両側に、上記駆動歯車に設けられたボス部に軸方向摺動自在に嵌合された第１軸部と、上記従動歯車に設けられたボス部に軸方向摺動自在に嵌合された第２軸部とを各別に有し、この連結軸が初期位置に位置することにより上記第２軸部に設けられた係合部が上記従動歯車のボス部に設けられた凸条に周方向で係合して上記伝達路断続機構が接続モードになり、この連結軸が往動位置に位置することにより上記係合部が上記凸条から離れて上記伝達路断続機構が切断モードになるように構成され、
上記連結軸の鍔部と従動歯車の上記ボス部の端面との間に、鍔部に対して係合可能に上記レバー体の下端が配備されることによって連結軸が上記レバー体に連結されていることを特徴とする印刷装置の用紙搬送機構。
【請求項２】
用紙端を挟むローラ対を形成する受側及び押圧側の一対のローラのうちの受側ローラにモータの回転を伝達する回転伝達路に、筐体に水平軸線回りに開閉揺動可能に取り付けられた開閉扉の開動作に連動して接続モードから切断モードに切り換わることにより上記受側ローラの自由回転を可能にし、かつ、上記開閉扉の閉動作に連動して切断モードから接続モードに切り換わることにより上記受側ローラの自由回転を不能にする伝達路断続機構が備わり、上記回転伝達路が、モータ側の駆動歯車とこの駆動歯車と同軸に配備された従動歯車とを含んでいる印刷装置の用紙搬送機構において、
上記伝達路断続機構が、上記筐体に対する定位置で上記駆動歯車及び上記従動歯車の軸方向に揺動自在に懸吊されていて、初期位置から動作位置に揺動することによって当該伝達路断続機構を接続モードから切断モードに切り換え、かつ、動作位置から初期位置に復帰することによって当該伝達路断続機構を切断モードから接続モードに切り換えるレバー体と、上記開閉扉に設けられてその開閉扉の開動作に連動して上記レバー体を初期位置から動作位置に押付け揺動させるカムとを備え、
上記レバー体の懸吊箇所を通る揺動軸線が上記水平軸線に対し交差する方向に延びていることを特徴とする印刷装置の用紙搬送機構。
【請求項３】
上記レバー体は、その長手方向中間部に設けられた軸孔が、上記支軸に嵌合されてその支軸に揺動自在に懸吊され、その軸孔よりも上位に、上記カムに対する摺動部を備えている請求項２に記載した印刷装置の用紙搬送機構。
【請求項４】
上記伝達路断続機構が、上記駆動歯車と上記従動歯車との間に介在されて初期位置から往動位置に移動することによって当該伝達路断続機構を接続モードから切断モードに切り換え、かつ、往動位置から初期位置に復帰することによって当該伝達路断続機構を切断モードから接続モードに切り換える連結軸を備え、この連結軸が、上記レバー体に連結されていると共に初期位置に向けて常時弾発付勢されている請求項３に記載した印刷装置の用紙搬送機構。
【請求項５】
上記連結軸が、鍔部を挟む両側に、上記駆動歯車に設けられたボス部に軸方向摺動自在に嵌合された第１軸部と、上記従動歯車に設けられたボス部に軸方向摺動自在に嵌合された第２軸部とを各別に有し、上記鍔部と従動歯車の上記ボス部の端面との間に、鍔部に対して係合可能に上記レバー体の下端が配備されている請求項４に記載した印刷装置の用紙搬送機構。
【発明の詳細な説明】
【０００１】
【発明の属する技術分野】
本発明は、印刷装置の用紙搬送機構、詳しくは、プリンタなどの印刷装置で用紙ジャムが生じた場合にその用紙を無理なく排除するための対策を講じた用紙搬送機構に関する。
【０００２】
【従来の技術】
印刷装置の一例であるレーザプリンタでは、給紙カセットの用紙や手差しされた用紙を、複数のローラ対を並べて形成した用紙搬送経路を通して現像、定着などの手段を備えた印刷部に送り込むようになっている。
【０００３】
従来、上記ローラ対は、モータの回転が伝えられるようになっている受側ローラとこの受側ローラに用紙端を押し付けて挟む押圧側ローラとを備えていて、受側ローラはモータの回転が伝えられるようになっているために自由回転が不能である上、押圧側ローラがばね力によって受側ローラに向けて弾発付勢されている。そのため、上記用紙搬送経路中で用紙ジャムが発生した場合、用紙端がローラ対の受側ローラと押圧側ローラとによって弾圧状態で挟まれたまま用紙を用紙搬送経路から引張り出して排除するというジャム処理を行うと、受側ローラが用紙を引き出すときの抵抗になり、用紙が破れて紙片がローラ対のところに残ってしまい、ジャム処理を容易に行い得なくなるという事態が発生する。
【０００４】
そこで、この点を解決するための対策が、特開平１０−２３６６８８号公報（先行例１）や特開平５−３２３８２５号公報（先行例２）などに開示されていて、これらはいずれも、筐体に取り付けられている開閉扉（カバー又は開閉部材と称されている）を開動作させたときに、モータの回転を受側ローラに伝達する回転伝達路が切断されるようにすることによって、ジャム処理時に受側ローラを自由回転可能にするというものである。
【０００５】
さらに具体的に説明すると、先行例１のものでは、モータの回転が常時伝達される駆動側ギヤとその駆動側ギヤに噛合い及び噛合い解除が可能なカム機構を介して連動する従動側ギヤとを備え、カバーの開動作に連動して上記カム機構の噛合いを解除させるようになっている。そして、カム機構の噛合いを解除させるための機構として、カバーが開動作するときの揺動軸線と平行な軸線回りで揺動するアームと、このアームに一体に設けられて上記カム機構に分け入ることが可能な駆動力伝達解除部と、カバーに設けたストッパに向けて上記アームを常時弾発付勢するばね材とを備えている。
【０００６】
先行例２では、モータの回転が常時伝達される駆動歯車と定着ローラに連結されている従動歯車とを連結歯車を介して連結してあると共に、開閉部材の開動作に連動して、駆動歯車及び従動歯車に対する連結歯車の噛合いが外れるようになっている。また、この先行例２では、連結歯車の噛合いを外す機構が、開閉部材の揺動軸線と平行な軸線回りに揺動するホルダーと、ホルダーを常時弾発付勢することによってこのホルダーに設けた当接部材を開閉部材側の当接部材に常時押し付けておくばね材と、ホルダーに設けた摺接突起とを有し、開閉部材の開動作に連動して連結歯車の径方向に沿って移動する摺接突起でその連結歯車のテーパ状に形成された凹部を押し付け、駆動歯車及び従動歯車に対する連結歯車の噛合いを外すようにしてある。また、この刊行物２では、連結歯車が駆動歯車や従動歯車に噛み合って回転しているときにも、その連結歯車の凹部に上記摺接突起が常時摺接するようになっている。
【０００７】
そして、先行例１及び先行例２ものものはいずれも、定着部を通過した用紙が機外に排紙される手前でジャムを生じた場合のジャム処理を対象としている。
【０００８】
先行例１及び先行例２について説明したところから判るように、これらの先行例によって開示されているものは、用紙端を挟むローラ対を形成する受側及び押圧側の一対のローラのうちの受側ローラに回転伝達路を介してモータの回転が伝達されるようになっていて、筐体に水平軸線回りに開閉揺動可能に取り付けられた開閉扉の開動作に連動して接続モードから切断モードに切り換わることにより上記受側ローラの自由回転を可能にするようになっている。そして、受側ローラの自由回転を可能にすることによって、受側ローラがジャム処理時の抵抗にならないようにしてある。また、開閉扉の閉動作に連動して切断モードから接続モードに切り換わることにより上記受側ローラの自由回転を不能にする伝達路断続機構が備わっている。しかも、回転伝達路が、モータ側の駆動歯車とこの駆動歯車と同軸に配備された従動歯車とを含んでいる。
【０００９】
【発明が解決しようとする課題】
しかしながら、先行例１及び先行例２のものでは、開閉扉の揺動軸線とその開閉扉の開動作に連動するアーム（先行例１）又はホルダー（先行例２）の揺動軸線とを平行に配備してあるため、それらのアームやホルダーの動作安定性を確保するために、それらを開閉扉側に常時弾発付勢するばね材を用いることが不可欠であり、仮にそのばね材を省略してしまうと、開閉扉の開閉揺動にアーム又はホルダーが確実に連動しなくなってそれらの動作安定性を確保できなくなる。
【００１０】
また、先行例２のものでは、摺接突起が連結歯車の回転中にもその連結歯車の凹部に摺接しているので、摺接突起の摩耗や折損などが起こりやすくなってジャム処理だけでなく、正常時の稼働にも支障をきたすおそれがある。
【００１１】
本発明は以上の状況の下でなされたものであり、開閉扉の開動作に連動してローラ対の受側ローラを自由回転可能にすることにより、ジャム処理を容易に行い得るようにすることができるものでありながら、先行例１や先行例２に見られるばね材を用いずに動作安定性を確保することが可能な印刷装置の用紙搬送機構を提供することを目的としている。
【００１２】
【課題を解決するための手段】
本発明に係る印刷装置の用紙搬送機構は、用紙端を挟むローラ対を形成する受側及び押圧側の一対のローラのうちの受側ローラにモータの回転を伝達する回転伝達路を有する。そして、その回転伝達路に、筐体に水平軸線回りに開閉揺動可能に取り付けられた開閉扉の開動作に連動して接続モードから切断モードに切り換わることにより上記受側ローラの自由回転を可能にし、かつ、上記開閉扉の閉動作に連動して切断モードから接続モードに切り換わることにより上記受側ローラの自由回転を不能にする伝達路断続機構が備わり、上記回転伝達路が、モータ側の駆動歯車とこの駆動歯車と同軸に配備された従動歯車とを含んでいる。
【００１３】
この構成において、開閉扉の開動作に連動して伝達路断続機構が接続モードから切断モードに切り換わると、ローラ対の受側ローラの自由回転が可能になり、ジャム処理時に用紙を引っ張ると、その用紙が受側ローラを回転させながら受側ローラと押圧側ローラとの間から引き抜かれるようになる。そのため、受側ローラが抵抗になって用紙が破れるという事態が起こりにくくなる。
【００１４】
本発明では、上記伝達路断続機構が、上記筐体に対する定位置で上記駆動歯車及び上記従動歯車の軸方向に揺動自在に懸吊されていて、初期位置から動作位置に揺動することによって当該伝達路断続機構を接続モードから切断モードに切り換え、かつ、動作位置から初期位置に復帰することによって当該伝達路断続機構を切断モードから接続モードに切り換えるレバー体と、上記開閉扉に設けられてその開閉扉の開動作に連動して上記レバー体を初期位置から動作位置に押付け揺動させるカムとを備えている。加えて、上記レバー体の懸吊箇所を通る揺動軸線が上記水平軸線に対し交差する方向に延びている。
【００１５】
このように、伝達路断続機構が、筐体に対する定位置で駆動歯車及び上記従動歯車の軸方向に揺動自在に懸吊された上記レバー体と開閉扉に設けられた上記カムとを備えていると、開閉扉の水平軸線回りの開動作がカムを介してレバー体に伝わり、レバー体が初期位置から動作位置に揺動する。その場合、この発明では、レバー体の懸吊箇所を通る揺動軸線が開閉扉が開動作するときの水平軸線に対し交差する方向に延びているので、レバー体をばね材を使ってカムに常時押し付けておかなくても、開閉扉の水平軸線回りの開動作がカムを介してレバー体に確実に伝わってレバー体が初期位置から動作位置に揺動する。そのため、ばね材を用いなくても、伝達路断続機構が優れた動作安定性を発揮する。
【００１６】
本発明において、上記レバー体は、その長手方向中間部に設けられた軸孔が、上記支軸に嵌合されてその支軸に揺動自在に懸吊され、その軸孔よりも上位に、上記カムに対する摺動部を備えていることが望ましく、そのようになっていると、軸孔と摺動部との間隔を増減することによってレバー体の揺動ストロークを容易に増減させることが可能であり、そのことが、レバー体による伝達路断続機構のモード切り換えの確実性を高めたりすることに役立つ。
【００１７】
本発明では、上記伝達路断続機構が、上記駆動歯車と上記従動歯車との間に介在されて初期位置から往動位置に移動することによって当該伝達路断続機構を接続モードから切断モードに切り換え、かつ、往動位置から初期位置に復帰することによって当該伝達路断続機構を切断モードから接続モードに切り換える連結軸を備え、この連結軸が、上記レバー体に連結されていると共に初期位置に向けて常時弾発付勢されている、という構成を採用することが可能である。
【００１８】
また、本発明では、上記連結軸が、鍔部を挟む両側に、上記駆動歯車に設けられたボス部に軸方向摺動自在に嵌合された第１軸部と、上記従動歯車に設けられたボス部に軸方向摺動自在に嵌合された第２軸部とを各別に有し、上記鍔部と従動歯車の上記ボス部の端面との間に、鍔部に対して係合可能に上記レバー体の下端が配備されている、という構成を採用することが可能である。
【００１９】
本発明に係る印刷装置の用紙搬送機構は、次の構成を採用することによっていっそう具体化される。すなわち、用紙端を挟むローラ対を形成する受側及び押圧側の一対のローラのうちの受側ローラにモータの回転を伝達する回転伝達路に、筐体に水平軸線回りに開閉揺動可能に取り付けられた開閉扉の開動作に連動して接続モードから切断モードに切り換わることにより上記受側ローラの自由回転を可能にし、かつ、上記開閉扉の閉動作に連動して切断モードから接続モードに切り換わることにより上記受側ローラの自由回転を不能にする伝達路断続機構が備わり、上記回転伝達路が、モータ側の駆動歯車とこの駆動歯車と同軸に配備された従動歯車とを含んでいる印刷装置の用紙搬送機構において、上記伝達路断続機構が、上記筐体に対する定位置で上記駆動歯車及び上記従動歯車の軸方向に揺動自在に懸吊されているレバー体と、上記開閉扉に設けられてこの開閉扉の開動作に連動して上記レバー体を初期位置から動作位置に押付け揺動させるカムと、上記駆動歯車と上記従動歯車との間に介在されて初期位置から往動位置に移動することによって当該伝達路断続機構を接続モードから切断モードに切り換え、かつ、往動位置から初期位置に復帰することによって当該伝達路断続機構を切断モードから接続モードに切り換えると共に、初期位置に向けて常時弾発付勢された連結軸とを備え、上記レバー体の懸吊箇所を通る揺動軸線が上記水平軸線に対し直交する方向に延びていると共に、上記揺動軸線よりも上位に、上記カムに対する摺動部を備え、上記連結軸が、鍔部を挟む両側に、上記駆動歯車に設けられたボス部に軸方向摺動自在に嵌合された第１軸部と、上記従動歯車に設けられたボス部に軸方向摺動自在に嵌合された第２軸部とを各別に有し、この連結軸が初期位置に位置することにより上記第２軸部に設けられた係合部が上記従動歯車のボス部に設けられた凸条に周方向で係合して上記伝達路断続機構が接続モードになり、この連結軸が往動位置に位置することにより上記係合部が上記凸条から離れて上記伝達路断続機構が切断モードになるように構成され、上記連結軸の鍔部と従動歯車の上記ボス部の端面との間に、鍔部に対して係合可能に上記レバー体の下端が配備されることによって連結軸が上記レバー体に連結されている、という構成を採用することによっていっそう具体化される。この発明の作用は次の実施形態についての説明によって明らかにする。
【００２０】
【発明の実施の形態】
図１（Ａ）は開閉扉２を閉じた状態での印刷装置Ａの概略外観図、図１（Ｂ）は開閉扉２を開いた状態での印刷装置Ａの概略外観図である。印刷装置Ａは、筐体１とその筐体１に取り付けられた開閉扉２とを有し、開閉扉２は筐体１に水平軸線Ｈ−Ｈの回りでの揺動を通じて開閉動作が行われる。
【００２１】
図２は用紙搬送経路を形成するためのローラユニット３の概略斜視図、図３はそのローラユニット３を図２とは反対側から見た状態での概略斜視図である。
【００２２】
ローラユニット３は、垂直なフレーム３１に、複数（図例では４つ）のローラ対４を並べて配備してなり、それぞれのローラ対４は、フレーム３１の定位置に回転自在に取り付けられた受側ローラ４１とその上側に配備された押圧側ローラ４２とを備え、押圧側ローラ４２は、フレーム３１に取り付けられたアーム４３の先端に回転自在に支持されていて、図示していないばね体によって、アーム４３を介し、受側ローラ４２側へ常時弾発付勢されている。そして、それぞれのローラ対４…の受側ローラ４１と押圧側ローラ４２とにより用紙端が弾圧挟持された状態で、押圧側ローラ４２の送り回転を通じ、用紙（不図示）が矢印ａで示した用紙搬送経路を搬送される。このローラユニット３は、図１に示した筐体１内の左右いずれかに配備されて、図示していない給紙カセットの用紙や手差しされた用紙を、現像、定着などの手段を備えた印刷部に送り込む作用を行う。
【００２３】
図２のように、それぞれのローラ対４を形成している受側ローラ４１には同軸に歯車４４が備わっており、受側ローラ４１にはそれらの歯車４４を介して回転が伝達される。そして、図３に示したモータの回転軸Ｍが、各ローラ対４の受側ローラ４１に備わっている歯車４４に、次に説明する回転伝達路５を介して連結されている。
【００２４】
図４は駆動歯車５２に連結軸６１を組み付けた状態の斜視図、図５は駆動歯車５２、従動歯車５３、連結軸６１などを示した分解斜視図、図６（Ａ）はレバー体６２とカム６３との関係を示した正面図、図６（Ｂ）は同側面図、図６（Ｃ）は同（Ｂ）の矢視Ｃ方向から見たカム形状の説明図、図７は駆動歯車５１のボス部５５に連結軸６１の第１軸部６８が嵌合されている状態でのボス部５５の縦断側面図、図８（Ａ）は従動歯車５６のボス部５６の縦断側面図、図８（Ｂ）は連結軸６１の第２軸部６９の側面図、図９は接続モードの伝達路断続機構６を示した縦断正面図、図１０は切断モードの伝達路断続機構６を示した縦断正面図である。
【００２５】
回転伝達路５は、図３に示した始端歯車５１と、この始端歯車５１に噛み合った歯車（以下「駆動歯車」という）５２と、図２に示した径小な歯車（以下「従動歯車」という）５３と、従動歯車５３とそれぞれの受側ローラ４１と同軸の歯車４４との間に介在された中間歯車５４と、駆動歯車５２と従動歯車５３とを同軸上で連結している連結軸６１（図５参照）とを備えていて、駆動歯車５２と従動歯車５３及び連結軸６１は同軸に配備されている。また、これらの各歯車５１，５２，５３，５４や連結軸６１によって形成されている回転伝達路５には、次に説明する伝達路断続機構６が介在されている。
【００２６】
伝達路断続機構６は、開閉扉２の開動作に連動して接続モードから切断モードに切り換わることにより上記受側ローラ４１の自由回転を可能にし、かつ、開閉扉２の閉動作に連動して切断モードから接続モードに切り換わることにより受側ローラ４１の自由回転を不能にするという機能を備えている。
【００２７】
この伝達路断続機構６は、図１、図６、図９又は図１０に示したレバー体６２と、図１又は図６に示した開閉扉２に設けられているカム６３と、上記連結軸６１とを備えている。
【００２８】
図６のように、レバー体６２は、長手方向中間部に設けられた軸孔６４が、筐体１に設けられた突片１２から突設された支軸１３に嵌合されてその支軸１３によって揺動自在に懸吊されている。また、軸孔６４よりも上位、すなわち上端にカム６３に対する摺動部６５として形成されている。そして、図６で判るように、レバー体６２の懸吊箇所（すなわち軸孔６４）を通る揺動軸線（支軸１３の軸線に一致する）が、開閉扉２の開閉動の中心となる支軸２１の水平軸線Ｈ−Ｈ（図１）に対し交差する方向、具体的には直交する方向に延びている。このため、開閉扉２に設けられているカム６３が、傾斜したカム面６６がレバー体６２の摺動部６５に対向していて、開閉扉２が開動作されたときには、カム６３のカム面６６がレバー体６２の摺動部６５を押してそのレバー体６２を図９に示した初期位置から図１０に示した動作位置まで揺動させる。また、開閉扉２が閉動作されたときには、レバー体６２の自重によりレバー体６２が図１０の動作位置から図９の初期位置まで復帰揺動する。このときのレバー体６２の揺動方向は、駆動歯車５２又は従動歯車５３の軸方向に一致する。また、レバー体６２の揺動ストロークは、揺動軸線と摺動部６５との間隔を拡げることによって小さくなり、その間隔を狭めることによって大きくなる。
【００２９】
図９又は図１０のように、連結軸６１は、鍔部６７を挟む両側に第１軸部６８と第２軸部６９とを一体に備えてなり、第１軸部６８が駆動歯車５２に設けられたボス部５５に軸方向摺動自在に嵌合され、第２軸部６９が従動歯車５３に設けられたボス部５６に軸方向摺動自在に嵌合されている。そして、図７、図９又は図１０のように、駆動歯車５２のボス部５５の内側には、周方向等角度おきの４箇所に凸条５７が形成されていて、この凸条５７に、上記第１軸部６８の周方向４箇所に形成された凸条でなる係合部７１が周方向で常時係合している。一方、図８、図９又は図１０のように、従動歯車５３のボス部５６の内側には、周方向等角度おきの３箇所にやゝ短い凸条５８が形成されているのに対し、上記第２軸部６９の周方向３箇所に凸条でなる係合部７２が形成されている。第２軸部６９は、その係合部７２がボス部５６の凸条５８に周方向で係合する位置と係合しない位置との間で軸方向摺動自在であり、係合部７２が凸条５８に周方向で係合しているときの連結軸６１の位置が連結軸６１の初期位置であり、係合部７２が凸条５８に周方向で係合していないときの連結軸６１の位置が連結軸６１の往動位置である。そのため、連結軸６１が初期位置に位置しているときには、駆動歯車５２の回転が連結軸６１を介して従動歯車５３に伝達され、連結軸６１が往動位置に位置しているときには、駆動歯車５２の回転が連結軸６１を介して従動歯車５３に伝達されなくなる。したがって、連結軸６１が初期位置に位置することにより伝達路断続機構６が接続モードになり、連結軸６１が往動位置に位置することにより伝達路断続機構６が切断モードになる。
【００３０】
図６のように、レバー体６２の下端に二股部７３が備わっており、図９又は図１０のように、この二股部７３が、連結軸６１の鍔部６７と従動歯車５６のボス部５６の端面との間に配備されることによって、連結軸６１がレバー体６２に連結されている。また、駆動歯車５２のボス部５５にコイルばねでなるばね体７４が収容され、このばね体７４によって、連結軸６１が初期位置に向けて常時弾発付勢されている。そのため、図９のようにレバー体６２がその支軸１３に懸吊されてその初期位置に位置しているときには、連結軸６１がばね体７４の付勢によってその初期位置に位置し、図１０のようにレバー体６２が動作位置に揺動しているときには、連結軸６１がレバー体６２によりばね体７４の付勢に抗して押されてその往動位置に位置する。
【００３１】
以上の構成であれば、開閉扉２が図１（Ｂ）や図６（Ｂ）仮想線に示したように開動作されると、カム６３のカム面６６がレバー体６２の摺動部６５を押すので、レバー体６２が初期位置から動作位置まで揺動し、それによって連結軸６１がばね体７４の付勢に抗して初期位置から往動位置まで移動する。したがって、図１０のように伝達路断続機構６が切断モードになる。また、開閉扉２が図１（Ａ）や図６（Ｂ）実線に示したように開動作されると、レバー体６２が動作位置から初期位置まで復帰揺動し、それによって連結軸６１がばね体７４の付勢によって往動位置から初期位置まで復帰移動する。したがって、図９のように伝達路断続機構６が接続モードになる。
【００３２】
ここで、図２に示したローラ対４の受側ローラ４１に備わっている歯車４４は、伝達路断続機構６が接続モードになっているときには自由回転することが困難であるけれども、伝達路断続機構６が切断モードになっているときには自由回転することが比較的容易である。そのため、用紙搬送経路ａを搬送中に用紙ジャムが生じたときに、ジャム処理のために開閉扉２を開動作させて伝達路断続機構６を切断モードにすると、従動歯車５３、中間歯車５４、モータの回転がローラ対４の受側ローラ４１に備わっている歯車４４の回転が停止し、しかも、受側ローラが自由回転するようになるので、受側ローラ４１と押圧側ローラ４２との間に挟まれている用紙を受側ローラ４１を追従回転させながら引張って取り出すことが可能になり、その際に用紙が破れるという事態が起こりにくくなる。
この実施形態において、駆動歯車５２のボス部５５に収容されているばね体７４は、連結軸６１を介してレバー体６２を初期位置に向けて弾発付勢する機能をも発揮するようになっているけれども、このばね体７４の付勢力がレバー体６２に加わらなくても、レバー体６２は支軸１３に懸吊されていることにより自重で動作位置から初期位置まで復帰揺動する。したがって、このばね体７４は、冒頭で説明した先行例１や先行例２に見られるばね材に相応するものではない。
【００３３】
【発明の効果】
本発明によれば、開閉扉の開動作に連動してローラ対の受け側ローラの自由回転を可能にするものでありながら、開閉扉の開動作に連動して伝達路断続機構を接続モードから切断モードに切り換えるレバー体を懸吊状態で揺動自在に支持し、しかも、レバー体の懸吊箇所を通る揺動軸線が開閉扉の揺動中心となる水平軸線に対し交差する方向に延びているので、冒頭で説明した先行例１や先行例２に見られるばね材を用いてレバー体を開閉扉側に付勢しておかなくても、伝達路断続機構のモード切り換えの動作安定性が向上する。そのため、ジャム処理のために開閉扉を開動作させたときには、必ず受側ローラが自由回転可能になり、ジャム処理を容易に円滑に行うことが可能になる。
【図面の簡単な説明】
【図１】（Ａ）は開閉扉を閉じた状態での印刷装置の概略外観図、（Ｂ）は開閉扉を開いた状態での印刷装置の概略外観図である。
【図２】用紙搬送経路を形成するためのローラユニットの概略斜視図である。
【図３】ローラユニットを図２とは反対側から見た状態での概略斜視図である。
【図４】駆動歯車に連結軸を組み付けた状態の斜視図である。
【図５】駆動歯車、従動歯車、連結軸などを示した分解斜視図である。
【図６】（Ａ）はレバー体とカムとの関係を示した正面図、（Ｂ）は同側面図、（Ｃ）は（Ｂ）の矢視Ｃ方向から見たカム形状の説明図である。
【図７】駆動歯車のボス部に連結軸の第１軸部が嵌合されている状態でのボス部の縦断側面図である。
【図８】（Ａ）は従動歯車のボス部の縦断側面図、（Ｂ）は連結軸の第２軸部の側面図である。
【図９】接続モードの伝達路断続機構を示した縦断正面図である。
【図１０】切断モードの伝達路断続機構を示した縦断正面図である。
【符号の説明】
１　筐体
２　開閉扉
４　ローラ対
５　回転伝達路
６　伝達路断続機構
４１　受側ローラ
４２　押圧側ローラ
５２　駆動歯車
５３　従動歯車
５５　ボス部
５６　ボス部
５８　凸条
６１　連結軸
６２　レバー体
６３　カム
６５　摺動部
６７　鍔部
６８　第１軸部
６９　第２軸部
７２　係合部
Ｈ−Ｈ　水平軸線
【図１】
2004054169.tif 000003
【図２】
2004054169.tif 000004
【図３】
2004054169.tif 000005
【図４】
2004054169.tif 000006
【図５】
2004054169.tif 000007
【図６】
2004054169.tif 000008
【図７】
2004054169.tif 000009
【図８】
2004054169.tif 000010
【図９】
2004054169.tif 000011
【図１０】
2004054169.tif 000012